(57)【要約】      （修正有）【課題】連結ネジが破損した場合、簡単に除去できる歯科用インプラントを提供する。【解決手段】歯科用インプラント１のアバットメント３にアバットメントスクリュー５を逆旋回可能に、アバットメントスクリュー５にその軸方向に上端部から下端部にわたって旋回用孔１２または旋回用溝を設けている。アバットメントスクリュー５に軸方向に旋回用孔１２または旋回用溝を上端部から下端部にわたって設けることが好ましく、アバットメントスクリュー５の旋回用孔１２を断面が四角形状や六角形状に開孔することが好ましい。【選択図】図１
2015146927.tif 000002
【特許請求の範囲】
【請求項１】
アバットメントにアバットメントスクリューを挿入してフィクスチャーに螺着して人工歯冠を装着する歯科用インプラントであって、
上記アバットメントスクリューを逆旋回可能に、アバットメントスクリューにその軸方向に上端部から下端部にわたって旋回用孔または旋回用溝を設けたことを特徴とする歯科用インプラント。
【請求項２】
アバットメントスクリューの中央に断面が四角形状や六角形状の多角形状の旋回用孔を上端部から下端部にわたって貫通状態に開孔した請求項１に記載の歯科用インプラント。
【請求項３】
アバットメントスクリューの両側に上端部から下端部にわたって旋回用溝をそれぞれ凹設した請求項１に記載の歯科用インプラント。
【請求項４】
アバットメントにアバットメントスクリューを挿入してフィクスチャーに螺着して人工歯冠を装着する歯科用インプラントであって、
上記フィクスチャーにアバットメントスクリューの頭部側を挿脱可能に装着してそのねじ部側をアバットメント側に突き出してナットで螺着するようにしているとともに、このナットでアバットメントスクリューに締め付け、逆旋回の弛め可能にナットの両側に上端部から下端部にわたって旋回用溝をそれぞれ凹設したことを特徴とする歯科用インプラント。
【請求項５】
アバットメントにアバットメントスクリューの弛み止めをするために、ロックスクリューをアバットメントスクリューとは反対方向のねじとして螺入した請求項１ないし４のいずれかに記載の歯科用インプラント。
【発明の詳細な説明】
【技術分野】
【０００１】
本発明は、歯科分野における歯科用インプラントに関するものである。
【背景技術】
【０００２】
近年、欠損歯の代わりに人口歯根であるインプラントの治療が行われている。歯科用インプラントは、顎の歯槽骨に人口歯根のフィクスチャーを埋設し、このフィクスチャーに支台部であるアバットメントをねじ止めし、アバットメントに歯冠を装着するものである。
【０００３】
しかし、アバットメントをフィクスチャーにねじ止めするので、不測のねじの弛みが生じてトラブルが生起するものであった。
【０００４】
そのため、特開２００３−３２５５５２号公報のようにアバットメントにロック溝を設けるとともに、ロックスクリューにロック溝を設け、ロックスリーブをこれらのロック溝とロック溝に挿入してねじの弛みを防止することが提案されている。
【０００５】
また、特開２０１１−１０４２２２号公報には、歯科インプラントにおいて、フィクスチャーの先端の内部空洞のねじとフィクスチャーの外面のねじの方向を反対として外力によって弛みを防止することが提案されている。
【０００６】
しかし、特開２０１０−１４８５５８号公報に記載されているようにインプラントの術中、術後において、過大な負荷や咬合力が繰り返し負荷された場合、フィクスチャーの連結ネジの破損が起こる可能性があった。
【先行技術文献】
【特許文献】
【０００７】
【特許文献１】特開２００３−３２５５５２号公報
【特許文献２】特開２０１１−１０４２２２号公報
【特許文献３】特開２０１０−１４８５５８号公報
【発明の開示】
【発明が解決しようとする課題】
【０００８】
このように、万一の連結ネジの破損事故に備えて、破損によって残存した連結ネジの除去作業が容易であるような部位で破損するように構成することが提案されている。
【０００９】
しかし、連結ネジが破損した場合、連結ネジは細径で、アバットメントも細径であることから、連結ネジの破損部を把持することは容易でなく、簡単に除去できる歯科用インプラントを開発するのが課題であった。
【課題を解決するための手段】
【００１０】
本発明は、上記のような点に鑑みたもので、上記の課題を解決するために、アバットメントにアバットメントスクリューを挿入してフィクスチャーに螺着して人工歯冠を装着する歯科用インプラントであって、上記アバットメントスクリューを逆旋回可能に、アバットメントスクリューにその軸方向に上端部から下端部にわたって旋回用孔または旋回用溝を設けたことを特徴とする歯科用インプラントことを特徴とする歯科用インプラントを提供するにある。
【００１１】
また、アバットメントスクリューの中央に断面が四角形状や六角形状の多角形状の旋回用孔を上端部から下端部にわたって貫通状態に開孔したことを特徴とする歯科用インプラントを提供するにある。
【００１２】
さらに、アバットメントスクリューの両側に上端部から下端部にわたって旋回用溝をそれぞれ凹設したことを特徴とする歯科用インプラントを提供するにある。
【００１３】
さらにまた、アバットメントにアバットメントスクリューを挿入してフィクスチャーに螺着して人工歯冠を装着する歯科用インプラントであって、上記フィクスチャーにアバットメントスクリューの頭部側を挿脱可能に装着してそのねじ部側をアバットメント側に突き出してナットで螺着するようにしているとともに、このナットでアバットメントスクリューに締め付け、逆旋回の弛め可能にナットの両側に上端部から下端部にわたって旋回用溝をそれぞれ凹設したことを特徴とする歯科用インプラントを提供するにある。
【００１４】
またさらに、アバットメントにアバットメントスクリューの弛み止めをするために、ロックスクリューをアバットメントスクリューとは反対方向のねじとして螺入したことを特徴とする歯科用インプラントを提供するにある。
【発明の効果】
【００１５】
本発明にあっては、特許請求の範囲の請求項１のように、アバットメントにアバットメントスクリューを挿入してフィクスチャーに螺着して人工歯冠を装着する歯科用インプラントであって、上記アバットメントスクリューを逆旋回可能に、アバットメントスクリューにその軸方向に上端部から下端部にわたって旋回用孔または旋回用溝を設けたことによって、万一アバットメントスクリューが折損しても、歯冠部を剥して折損したアバットメントスクリューの頭部側を抜き取り、アバットメントスクリューの旋回用孔または旋回用溝に細棒状等の旋回用治具を挿入して逆旋回すると、折損して残存しているアバットメントスクリューを取り出すことができる。
【００１６】
また、請求項２のように、アバットメントスクリューの中央に断面が四角形状や六角形状の多角形状の旋回用孔を上端部から下端部にわたって貫通状態に開孔したことによって、断面が四角形状や六角形状の細棒状のレンチの旋回用治具を挿入して逆旋回すると、折損して残存しているアバットメントスクリューを取り出すことができる。
【００１７】
さらに、請求項３のように、アバットメントスクリューの両側に上端部から下端部にわたって旋回用溝をそれぞれ凹設したことによって、折損したアバットメントスクリューの両側部に凹設した旋回用溝に角状に尖鋭部等を設けた旋回用治具を挿入して逆旋回すると、折損して残存しているアバットメントスクリューを取り出すことができる。
【００１８】
さらに、請求項４のように、アバットメントにアバットメントスクリューを挿入してフィクスチャーに螺着して人工歯冠を装着する歯科用インプラントであって、上記フィクスチャーにアバットメントスクリューの頭部側を挿脱可能に装着してそのねじ部側をアバットメント側に突き出してナットで螺着するようにしているとともに、このナットでアバットメントスクリューに締め付け、逆旋回の弛め可能にナットの両側に上端部から下端部にわたって旋回用溝をそれぞれ凹設したことによって、アバットメントスクリューを逆状に取り付けても、フィクスチャーにアバットメントを装着できるとともに、アバットメントスクリューのナットに旋回用治具を挿入して逆旋回すると、折損して残存しているアバットメントスクリューを取り出すことができる。
【００１９】
またさらに、請求項５のように、アバットメントにアバットメントスクリューの弛み止めをするために、ロックスクリューをアバットメントスクリューとは反対方向のねじとして螺入したことによって、ロックスクリューでアバットメントスクリューが弛むのを防止できるとともに、万一アバットメントスクリューが折損しても、上記のように旋回用治具を挿入して逆旋回すると、折損して残存しているアバットメントスクリューを取り出すことができる。
【図面の簡単な説明】
【００２０】
【図１】本発明の一実施例のインプラントの側断面図、
【図２】同上のアバットメントスクリューの側断面図（ａ）と平面図（ｂ）、
【図３】同上のアバットメントスクリューの折損部の取り出し説明用側断面図、
【図４】同上の他の実施例のインプラントの側断面図、
【図５】同上のアバットメントスクリューの側断面図（ａ）と底面図（ｂ）、
【図６】同上のアバットメントスクリューの折損部の取り出し説明用側断面図、
【図７】同上のさらに他の実施例のインプラントの側断面図、
【図８】同上のアバットメントスクリューの側断面図（ａ）、底面図（ｂ）、ナットの平面図（ｃ）、
【図９】同上のロックスクリューの側面図（ａ）と底面図（ｂ）、
【図１０】同上のロックスクリュー部のロック説明用側面図（ａ）と底面図（ｂ）。
【発明を実施するための形態】
【００２１】
本発明の歯科用インプラントは、アバットメントにアバットメントスクリューを挿入してフィクスチャーに螺着して人工歯冠を装着する歯科用インプラントであって、上記アバットメントスクリューを逆旋回可能に、アバットメントスクリューにその軸方向に上端部から下端部にわたって旋回用孔または旋回用溝を設けたことを特徴としている。
【００２２】
インプラント１は、セラミックスやチタン等で形成され、図１のように顎の歯槽骨に形成した植立孔に挿入するフィクスチャー２に人口歯冠を装着するアバットメント３を固着するねじ孔４を設け、アバットメント３にアバットメントスクリュー５を挿入する挿入孔６を開孔し、その下部にロックスクリュー７を螺着するロックねじ孔８を設けて、フィクスチャー２にアバットメント３を固着するようにしている。９はその段落部、１０は嵌合部、１１はアバットメントスクリュー５の頭部１２の六角穴等の凹み穴、１３はそのねじ部である。
【００２３】
上記アバットメントスクリュー５には、図１、図２（ａ）、（ｂ）のようにその中心部にアバットメントスクリュー５を逆旋回可能に軸方向にそって細孔状の旋回用孔１４を上端部から下端部にわたって貫通状態に開口し、万一、アバットメントスクリュー５が折損しても、歯冠部を剥してロックスクリュー７を取り除いて折損したアバットメントスクリュー５の頭部１２側を抜き取り、アバットメントスクリュー５の旋回用孔１４に細棒状の旋回用治具１５を挿入して図３のように逆旋回し、折損して残存しているアバットメントスクリュー５を容易に取り出すことができるようにしている。
【００２４】
上記旋回用孔１４は、断面が四角形状や六角形状等の多角形状として、上端部から下端部にわたって貫通状態とすることが、製造面や使用面の実用面から好ましい。必要により、旋回用孔１４は上端部から所要の下端部までの開孔とすることもできる。
【００２５】
また、図４、図５（ａ）、（ｂ）のようにアバットメントスクリュー５の両側部にスリット状の凹溝の旋回用溝１６をそれぞれその上端部から下端部にわたって凹設している。この場合、万一、アバットメントスクリュー５が折損しても、上記のように歯冠部を剥してロックスクリュー７を取り除いて折損したアバットメントスクリュー５の頭部１２側を抜き取り、図６のようにアバットメントスクリュー５の旋回用溝１６に下端部が角状に尖鋭部等となった細棒状等の旋回用治具１７を挿入して逆旋回し、折損して残存しているアバットメントスクリュー５を容易に取り出すことができる。
【００２６】
上記アバットメントスクリュー５の旋回用溝１６は、図５（ａ）、（ｂ）のようにアバットメントスクリュー５のねじ部１３にそってその両側部に下端まで凹設するのが製造しやすくて好ましく、また万一、ねじ部１３の上部で折損しても、容易に対処できて好ましい。
【００２７】
また、図７のようにフィクスチャー２にアバットメントスクリュー５を頭部１２側を下側（図上、以下同じ）にしてフィクスチャー２に凹部１８を設けて装着し、その上側のねじ部１９にナット２０を二重状等に螺着して締弛するようにしている。
【００２８】
上記アバットメントスクリュー５の頭部１２は、図８（ａ）、（ｂ）のようにねじ部１９に対して４〜６本の放射状の係止爪２１を設け、フィクスチャー２の凹部１８に上記係止爪２１に対応した挿脱用溝２２を放射状に開口してアバットメントスクリュー５の頭部１２を挿脱可能に形成するとともに、挿脱用溝２２の各側部に回り止め片２３をそれぞれ突設し、アバットメントスクリュー５を所定位置で確実に係止できるようにしている。
【００２９】
そして、このアバットメントスクリュー５に螺合するナット２０には、図７、図８（ｃ）のようにその両側にスリット状の凹溝の旋回用溝２４を上端部から下端部にそれぞれ凹設し、万一アバットメントスクリュー５が折損しても、歯冠部を剥してナット２０の旋回用溝２４に下端部が角状に尖鋭部等となった細棒状等の旋回用治具１７を挿入して逆旋回して弛めて、折損して残存しているアバットメントスクリュー５を所要の角度旋回すると、折損したアバットメントスクリュー５の頭部１２側をフィクスチャー２の凹部１８から抜き取れ、折損して残存しているアバットメントスクリュー５を取り出すことができる。
【００３０】
なお、アバットメントスクリュー５がナット２０部の下方で折損しても、ナット２０を旋回用溝２４を介して旋回用治具１７で取り除き、折損して残存しているアバットメントスクリュー５のねじ部１９の六角孔に六角レンチ等を挿入して旋回したり、ねじ部１９の両側部の旋回用溝１６に上記したように細棒状等の旋回用治具１７を挿入して旋回して、折損したアバットメントスクリュー５の頭部１２側をフィクスチャー２の凹部１８から抜き取れ、折損して残存しているアバットメントスクリュー５を取り出すことができる。
【００３１】
当該ねじ部１９には、ナット２０を二重状に螺着してナット２０が弛まないようにできるほか、所要のねじ弛み防止手段を利用することができる。
【００３２】
上記図１〜図６で説明したフィクスチャー２のねじ孔４は、たとえば右ねじ孔として、図１、図２（ａ）のようにアバットメントスクリュー５も右ねじとして螺着するようにし、その上部のアバットメント３のロックスクリュー７を螺着するねじ孔８は上記ねじ方向とは反対方向の左ねじ孔として、図１のようにロックスクリュー７も左ねじとして螺着するようにし、アバットメントスクリュー５が弛まないようにできる。これらのねじ孔およびねじは互いに反対方向にでき、これらは互いに反対方向のものであればよい。
【００３３】
また、図１のようにロックスクリュー７、そのねじ孔８のピッチを、アバットメントスクリュー５、そのねじ孔４のピッチの２分の１等の細かいピッチとして相違したものとし、ねじのピッチの相違と、上記した反対方向のねじとによって、アバットメントスクリュー５をより弛まないようにできる。
【００３４】
さらに、図１、図９（ａ）、（ｂ）のようにロックスクリュー７のねじ部の下方に、ロックスクリュー７の中心より所定量偏心させてアバットメントスクリュー５の頭部の六角穴１１の凹み穴の内面に当接可能に切頭円錐柱状の突起体２５を突設し、アバットメント３にロックスクリュー７を螺入して、アバットメントスクリュー５の頭部の六角穴等の凹み穴１１に挿入したときに、図１０（ａ）、（ｂ）のように突起体２５がねじ間の許容量だけ偏心して六角穴等の凹み穴１１の内面に押圧して当接するようにし、その内面にクサビ効果を生じてロック状態となってアバットメントスクリュー５が一層弛まないようにすることが好ましい。
【００３５】
上記ロックスクリュー７は、図９（ａ）、（ｂ）、図１０（ａ）、（ｂ）のように突起体２５を下方へいくにしたがって漸次細くし、漸次細くした突起体２５が六角穴等の凹み穴１１に円滑に挿入して、上記したようにねじ間の許容量だけ偏心して突起体２５の上部が六角穴等の凹み穴１１の内面に押圧して当接するようにし、その内面にクサビ効果を生じてロック状態となってアバットメントスクリュー５が弛まないようにすることが好ましい。
【００３６】
また、上記ロックスクリュー７のねじとそのねじ孔８の係合の許容量は、たとえばねじ径が２ｍｍ位なら０．０２〜０．０５ｍｍ位あり、ロックスクリュー７の突起体２５はアバットメント３の六角穴等の凹み穴１１に０．０２〜０．０５ｍｍ位の所定量の偏心によって凹み穴の内面に当接状態としてクサビ効果を生じるようにできる。
【００３７】
上記では、ロックスクリュー７の突起体２５を切頭円錐柱状としたが、六角錐柱状や楕円錐柱状等の適宜量偏心させてクサビ効果を生じる形態とすることができ、またアバットメントスクリュー５の頭部１２の凹み穴１１は三角穴や四角穴等のものも適用でき、さらに図７でのインプラント１についてもロックスクリューを装着してナット２０の緩み止めをはかることができ、上記した本発明の趣旨にもとづいて適宜な変形態様を実施することができるものである。
【実施例】
【００３８】
図１以下は、本発明の実施例を示すものである。インプラント１は、図１のように顎の歯槽骨に形成した植立孔に挿入するフィクスチャー２に人口歯冠を装着するアバットメント３を固着するねじ孔４を設け、アバットメント３にアバットメントスクリュー５を挿入する挿入孔６を開孔し、その下部にロックスクリュー７を螺着するロックねじ孔８を設けて、六角レンチ等でアバットメントスクリュー５を螺入してフィクスチャー２にアバットメント３を固着するようにしている。
【００３９】
上記アバットメントスクリュー５には、図１、図２（ａ）、（ｂ）のようにその中心部にアバットメントスクリュー５を逆旋回可能に軸方向にそって細孔状の断面四角形状の旋回用孔１４を上端部から下端部にわたって貫通状態に開口している。
【００４０】
そのため、万一、アバットメントスクリュー５が折損しても、図３のように歯冠部を剥してロックスクリュー７を取り除いて折損したアバットメントスクリュー５の頭部１２側を抜き取り、アバットメントスクリュー５の旋回用孔１４に細棒状の断面四角形状の旋回用治具１５を挿入して逆旋回し、折損して残存しているアバットメントスクリュー５を容易に取り出すことができる。
【００４１】
図４〜図６は、本発明の他の実施例で、図４、図５（ａ）、（ｂ）のようにアバットメントスクリュー５の両側部にスリット状の凹溝の旋回用溝１６をそれぞれその上端部から下端部にわたって凹設したものである。本実施例では、図６のように万一、アバットメントスクリュー５が折損しても、上記のようにして歯冠部を剥してロックスクリュー７を取り除いて折損したアバットメントスクリュー５の頭部１２側を抜き取り、図６のようにアバットメントスクリュー５の旋回用溝１６に下端部が角状に尖鋭部となった細棒状の旋回用治具１７を挿入して逆旋回し、折損して残存しているアバットメントスクリュー５を容易に取り出すことができる。
【００４２】
図７、図８は、本発明のさらに他の実施例で、図７のようにフィクスチャー２にアバットメントスクリュー５を頭部１２側を下側にしてフィクスチャー２の凹部１８に係合して装着し、その上側のねじ部１９にナット２０を二重状等に螺着して締弛するようにできる。
【００４３】
上記アバットメントスクリュー５の頭部１２は、図７（ａ）、（ｂ）のようにねじ部１９に対して６本の放射状の係止爪２１を設け、フィクスチャー２の所定の大きさとした凹部１８に上記係止爪２１に対応した挿脱用溝２２を放射状に開口し、アバットメントスクリュー５の頭部１２を挿脱可能に形成し、挿脱用溝２２の各側部に回り止め片２３をそれぞれ突設してアバットメントスクリュー５を所定位置で確実に係止できるようにしている。
【００４４】
そして、このアバットメントスクリュー５に螺合するナット２０には、図７、図８（ａ）、（ｃ）のようにその両側にスリット状の凹溝の旋回用溝２４を上端部から下端部にそれぞれ凹設している。
【００４５】
したがって、万一アバットメントスクリュー５が折損しても、図７のように歯冠部を剥してナット２０の旋回用溝２４に下端部が角状に尖鋭部となった細棒状の旋回用治具１７を挿入して逆旋回して弛め、折損して残存しているアバットメントスクリュー５を所要の角度旋回すると、折損したアバットメントスクリュー５を頭部１２側をフィクスチャー２の凹部１８から抜き取れ、折損して残存しているアバットメントスクリュー５を取り出すことができる。
【００４６】
なお、アバットメントスクリュー５がナット２０部の下方で折損しても、ナット２０を旋回用溝２４を介して旋回用治具１７で取り除き、折損して残存しているアバットメントスクリュー５のねじ部１９に上記したように細棒状等の旋回用治具１７を挿入して回すると、折損したアバットメントスクリュー５の頭部１２側をフィクスチャー２の凹部１８から抜き取れ、折損して残存しているアバットメントスクリュー５を取り出すことができる。  
【００４７】
また、図１のように上記フィクスチャー２のねじ孔４は右ねじ孔として、アバットメントスクリュー５も右ねじとして螺着するようにし、その下部のアバットメント３のロックスクリュー７を螺着するねじ孔８は図１のように上記ねじ方向とは反対方向の左ねじ孔としてロックスクリュー７も左ねじとして螺着するようにし、アバットメントスクリュー５が弛まないようにすることが好ましい。
【００４８】
また、図１のようにロックスクリュー７、そのねじ孔８のピッチを、アバットメントスクリュー５、そのねじ孔４のピッチの２分の１の細かいピッチとして相違したものとし、ロックスクリュー７のねじのピッチを細いピッチのものとすることによって、アバットメントスクリュー５が弛むのを有効に防止することができる。
【００４９】
さらに、図１、図９（ａ）、（ｂ）のようにロックスクリュー７のねじ部の下方にロックスクリュー７の中心より所定量偏心させた切頭円錐柱状の突起体２５を突設し、アバットメント３にロックスクリュー７を螺入して、アバットメントスクリュー５の頭部の六角穴の凹み穴１１に挿入したときに、図１、図１０（ａ）、（ｂ）のように所定量偏心した突起体２５が六角穴の凹み穴１１の内面に押圧状態で当接してクサビ効果によってロック状態となってアバットメントスクリュー５が一層弛まないようにすることが好ましい。
【００５０】
さらにまた、上記ロックスクリュー７は、図１０（ａ）、（ｂ）のように突起体２５を下方へいくにしたがって漸次細くし、偏心した突起体２５が六角穴１１に容易に挿入できて、その上部の所要部で六角穴１１の内面に押圧状態で当接して上記したクサビ効果によってロック状態となってアバットメントスクリュー５が一層弛まないようにすることが好ましい。
【００５１】
上記では、本発明の本質的な実施例について説明したが、旋回用孔や旋回用溝の形状、長さ等を上記した本発明の趣旨にもとづいて適宜な変形態様として実施することができる。
【産業上の利用可能性】
【００５２】
本発明は、歯科分野における顎の歯槽骨に形成した植立孔に挿入するフィクスチャーに人口歯冠を装着するアバットメントを固着する歯科用インプラントに利用することかできる。
【符号の説明】
【００５３】
１…インプラント        ２…フィクスチャー        ３…アバットメント
５…アバットメントスクリュー    ６…ロックスクリュー    １２…頭部
１３…ねじ部      １５…旋回用治具    １６…旋回用溝      １７…旋回用治具
１９…ねじ部      ２０…ナット        ２４…旋回用溝
【図１】
2015146927.tif 000003
【図２】
2015146927.tif 000004
【図３】
2015146927.tif 000005
【図４】
2015146927.tif 000006
【図５】
2015146927.tif 000007
【図６】
2015146927.tif 000008
【図７】
2015146927.tif 000009
【図８】
2015146927.tif 000010
【図９】
2015146927.tif 000011
【図１０】
2015146927.tif 000012